(57)【特許請求の範囲】
【請求項１】
乳児の寝床となるベッド部と、前記ベッド部の下方に設けられた基台部と、前記基台部に取り付けられ、前記ベッド部を揺動可能に支持する揺動機構とを備え、
前記揺動機構は、前記ベッド部が固定されるベッド部固定部材と、前記ベッド部固定部材の特定位置に設けられた第一の軸部と、前記ベッド部固定部材の、前記第一の軸部から下側に離れた位置に設けられた第二の軸部と、前記基台部の特定位置に設けられた第三の軸部と、前記基台部の、前記第三の軸部から下側に離れた位置に設けられた第四の軸部と、一端が前記第一の軸部に軸着され、他端が前記第三の軸部に軸着されて、前記ベッド部固定部材と前記基台部とを連結する第一の連結部材と、一端が前記第二の軸部に軸着され、他端が前記第四の軸部に軸着されて、前記ベッド部固定部材と前記基台部とを連結する第二の連結部材と、前記第一の連結部材を前記第三の軸部を中心に上向きに付勢し、又は前記第二の連結部材を前記第四の軸部を中心に上向きに付勢する弾性部材を有する付勢手段とで構成され、
前記ベッド部は、前記弾性部材の付勢を受けて基準位置に保持され、外力が加わると前記基準位置を中心に上下方向に振動することを特徴とする揺動式ベビーベッド。
【請求項２】
前記揺動機構又は前記基台部に、前記ベッド部の上昇限度位置を規定するストッパ部材が設けられている請求項１記載の揺動式ベビーベッド。
【請求項３】
前記弾性部材はコイルバネで成り、前記付勢手段に、前記コイルバネの付勢力を調節するための付勢力可変装置が設けられている請求項１又は２記載の揺動式ベビーベッド。
【発明の詳細な説明】
【技術分野】
【０００１】
本発明は、乳児を寝かす場合等に使用される揺動式ベビーベッドに関する。
【背景技術】
【０００２】
従来、特許文献１に開示されているように、乳児の寝床となるベッド部（ベビーベッド）と、ベッド部の下面を基礎枠に連結する前脚及び後脚とを有し、前脚及び後脚は、その両端部がそれぞれベッド部及び基礎枠に軸着されて前記ベッド部を支持しており、モータの回転運動を前記前脚又は後脚に作用させることにより、ベッド部を前後方向に往復移動させる揺動式ベビーベッドがあった。
【０００３】
また、特許文献２に開示されているように、昇降枠に寝床シートを設けたベッド部を外枠の内側に配置し、昇降枠が弾性部材を介して外枠に連繋された吊り床式ベビーベッドがあった。ベッド部に外力を加える（例えば、手で軽く押し下げる）と、ベッド部を上下方向に振動させることができる
【先行技術文献】
【特許文献】
【０００４】
【特許文献１】特開平１０−２１５９８５号公報
【特許文献２】特開２００４−３１３２５４号公報
【発明の概要】
【発明が解決しようとする課題】
【０００５】
しかし、特許文献１の揺動式ベビーベッドの場合、ベッド部が前後方向（水平方向）に移動するので、立って歩けるようになった乳児が転びやすい。また、モータ等の動力を使用しているため、作動音によって乳児の睡眠が妨げられるおそれがある。さらに、モータ等の故障や機械類が暴走する事故等を防止するため、面倒な保守点検が必要である。
【０００６】
特許文献２の吊り床式ベビーベッドの場合、ベッド部が傾いたり不規則に揺れたりしないようにするため、ガイドレールやローラ部材等で構成する確動装置を設けなければならず、構造が複雑になってしまう。また、ベッド部を吊り下げる弾性部材がベッド部の周りの複数箇所に分散して配置されるので、各弾性部材の張力を変更したり調節したりするのが容易ではない。
【０００７】
本発明は、上記背景技術に鑑みて成されたものであり、ベッド部を上下方向に安定に揺らすことができ、シンプルな構造で騒音がほとんど発生しない揺動式ベビーベッドを提供することを目的とする。
【課題を解決するための手段】
【０００８】
本発明は、乳児の寝床となるベッド部と、前記ベッド部の下方に設けられた基台部と、前記基台部に取り付けられ、前記ベッド部を揺動可能に支持する揺動機構とを備え、
前記揺動機構は、前記ベッド部が固定されるベッド部固定部材と、前記ベッド部固定部材の特定位置に設けられた第一の軸部と、前記ベッド部固定部材の、前記第一の軸部から下側に離れた位置に設けられた第二の軸部と、前記基台部の特定位置に設けられた第三の軸部と、前記基台部の、前記第三の軸部から下側に離れた位置に設けられた第四の軸部と、一端が前記第一の軸部に軸着され、他端が前記第三の軸部に軸着されて、前記ベッド部固定部材と前記基台部とを連結する第一の連結部材と、一端が前記第二の軸部に軸着され、他端が前記第四の軸部に軸着されて、前記ベッド部固定部材と前記基台部とを連結する第二の連結部材と、前記第一の連結部材を前記第三の軸部を中心に上向きに付勢し、又は前記第二の連結部材を前記第四の軸部を中心に上向きに付勢する弾性部材を有する付勢手段とで構成され、
前記ベッド部は、前記弾性部材の付勢を受けて基準位置に保持され、外力が加わると前記基準位置を中心に上下方向に振動する揺動式ベビーベッドである。
【０００９】
前記揺動機構又は前記基台部に、前記ベッド部の上昇限度位置を規定するストッパ部材が設けられている構成であることが好ましい。また、前記弾性部材はコイルバネで成り、前記付勢手段に、前記コイルバネの付勢力を調節するための付勢力可変装置が設けられている構成出ることが好ましい。
【発明の効果】
【００１０】
本発明の揺動式ベビーベッドは、ベッド部が独特の揺動機構により支持され、ベッド部を軽く押圧することによって上下方向に安定に揺らすことができ、立って歩けるようになった乳児等が起き上がった状態で揺動させても、不用意に倒れることがなく安心である。また、モータ等の動力を使用しておらず、部材同士が擦れ合う箇所もほとんどないので、騒音がほとんど発生せず静かであり、構造がシンプルなのでメンテナンスも容易である。
【図面の簡単な説明】
【００１１】
【図１】本発明の揺動式ベビーベッドの一実施形態の外観を示す正面図（ａ）、基台部の側面板及び布カバーを取り外した内部構造を示す正面図（ｂ）である。
【図２】ベッド部を示す斜視図である。
【図３】付勢力可変装置が取り付けられた基台部のフレーム体を示す斜視図（ａ）、付勢力可変装置の部分を拡大した図（ｂ）である。
【図４】ベッド部固定部材を示す斜視図（ａ）、第一の連結部材を示す斜視図（ｂ）、第二の連結部材を示す斜視図（ｃ）である。
【図５】ベッド部が下向きに移動したときの揺動機構の動作を示す正面図（ａ）、ベッド部が上向きに移動したときの揺動機構の動作を示す正面図（ｂ）である。
【発明を実施するための形態】
【００１２】
以下、本発明の揺動式ベビーベッドの一実施形態について、図面に基づいて説明する。この実施形態の揺動式ベビーベッド１０は、図１（ａ）に示すように、乳児Ｎの寝床となるベッド部１２と、ベッド部１２の下方に設けられた基台部１４と、基台部１４に取り付けられ、ベッド部１２を揺動可能に支持する揺動機構１６とを備えている。揺動機構１６は、ベッド部１２の下端部に取り付けられた布カバー１８と基台部１４の内側に設置され、外から見えないようになっている。
【００１３】
揺動機構１６は、図１（ｂ）に示すように、ベッド部固定部材２０(1)，２０(2)、第一の軸部２２(1)，２２(2)、第二の軸部２４(1)，２４(2)、第三の軸部２６(1)，２６(2)、第四の軸部２８(1)，２８(2)、第一の連結部材３０(1)，３０(2)、第二の連結部材３２(1)，３２(2)、及び付勢手段３４で構成され、付勢手段３４は、弾性部材であるコイルバネ３６及び付勢力可変装置３８等で構成されている。以下、各部材の構成を順に説明するが、説明の中では、図１（ａ），（ｂ）における乳児Ｎの頭部側を前側、乳児Ｎの足側を後ろ側、乳児Ｎの右手側を右側、乳児Ｎの左手側を左側と称する。
【００１４】
ベッド部１２は、図２に示すように、布団等が敷かれる床板１２ａを有し、床板１２ａの周囲を取り囲むように柵１２ｂが設けられている。
【００１５】
基台部１４は、複数のフレームを直方体状に格子組みしたフレーム体４０で成り、フレーム体４０の前後左右の側面部が側面板４２により塞がれている。
【００１６】
フレーム体４０は、図３（ａ）に示すように、前側の２つの縦フレーム４０ｆ(1)，４０ｆ(2)の上端寄りの位置に、第三の軸部２６(1)，２６(2)が左右一対に設けられている。また、縦フレーム４０ｆ(1)，４０ｆ(2)の、第三の軸部２６(1)，２６(2)から下側に離れた位置に、第四の軸部２８(1)，２８(2)が左右一対に設けられている。
【００１７】
後ろ側の縦フレーム４０ｒ(1)，４０ｒ(2)には、付勢力可変装置３８が取り付けられている。付勢力可変装置３８は、図３（ｂ）に示すように、コイルバネ取り付け部４２、丸棒材４４、支持梁４６、及びハンドル４８で構成されている。コイルバネ取り付け部４２は、角柱状の本体を水平に倒して配置され、前側の面にコイルバネ３６の一端を引っ掛けるためのフック４２ａが設けられ、本体中央部に前後方向に貫通するネジ孔４２ｂが形成されている。丸棒材４４は、側周面にネジ山が設けられており、コイルバネ取り付け部４２のネジ孔４２ｂ内に挿通され螺合している。支持梁４６は、丸棒材４４の基端部付近を回転可能に支持するフレームであり、両端部が縦フレーム４０ｒ(1)，４０ｒ(2)の下端寄りの位置にそれぞれ固定されている。ハンドル４８は、丸棒材４４を回転させるための操作ハンドルであり、丸棒材４４の基端部に取り付けられている。ハンドル４８を回して丸棒材４４を回転させると、丸棒材４４に螺合しているコイルバネ取り付け部４２が前方向又は後ろ方向に移動する。
【００１８】
ベッド部１２の下方には、ベッド部１２の下面に固定されたベッド部固定部材２０(1)，２０(2)が設けられている。ベッド部固定部材２０(1)は、図４（ａ）に示すように、縦部分２０ａ(1)と水平部分２０ｂ(1)とを有するＬ字状のフレームである。ベッド部固定部材２０(2)も、縦部分２０ａ(2)と横部分２０ｂ(2)とを有する同じ形状のフレームである。ベッド部固定部材２０(1)，２０(2)は、左右対称に配置され、横フレーム５０，５２，５４で連結されて一体になっている。さらに、縦部分２０ａ(1)，２０ａ(2)は、上下方向のほぼ中央位置に第一の軸部２２(1)，２２(2)が左右一対に設けられ、第一の軸部２２(1)，２２(2)から下側に離れた位置に第二の軸部２４(1)，２４(2)が左右一対に設けられている。
【００１９】
第一の連結部材３０(1)は、棒状のフレームであり、図４（ｂ）に示すように、左右方向の中央部やや右寄りの位置に、棒状の付勢用フレーム５６(1)がＴ字状に交差する角度に取り付けられている。第一の連結部材３０(2)も同じ形状のフレームであり、左右方向の中央部やや右寄りの位置に、付勢用フレーム５６(2)が同様に取り付けられている。第一の連結部材３０(1)，３０(2)及び付勢用フレーム５６(1)，５６(2)は、左右対称に配置され、横フレーム５８，６０，６２で連結されて一体になっている。また、付勢用フレーム５６(1)，５６(2)の下端部同士を連結する横フレーム６２は、後ろ側の面に、コイルバネ３６の一端を引っ掛けるためのフック６２ａが設けられている。
【００２０】
第二の連結部材３２(1)，３２(2)は、第一の連結部材３０(1)，３０(2)と同形状のフレームであり、図４（ｃ）に示すように、左右対称に配置され、横フレーム６４，６６で連結されて一体になっている。
【００２１】
第一の連結部材３０(1)，３０(2)は、図１（ｂ）に示すように、左側の端部が第一の軸部２２(1)，２２(2)に軸着され、右側の端部が第三の軸部２６(1)，２６(2)に軸着され、ベッド部固定部材２０(1)，２０(2)とフレーム体４０とを連結する。第二の連結部材３２(1)，３２(2)は、左側の端部が第二の軸部２４(1)，２４(2)に軸着され、右側の端部が第四の軸部２８(1)，２８(2)に軸着され、ベッド部固定部材２０(1)，２０(2)とフレーム体４０とを連結する。
【００２２】
付勢手段３４は、上述した付勢力可変装置３８、上述した付勢用フレーム５６(1)，５６(2)及び横フレーム６２、及び弾性部材であるコイルバネ３６で構成される。コイルバネ３６は、一端が付勢力可変装置３８のフック４２ａに固定され、他端が横フレーム６２のフック６２ａに固定されており、自己の収縮力により付勢用フレーム５６(1)，５６(2)の下端部をコイルバネ取り付け部４２の方向に引き寄せ、第一の連結部材３０(1)，３０(2)を、第三の軸部２６(1)，２６(2)を中心に上向きに付勢する。この付勢をうけて、ベッド部１２は、第一の連結部材３０(1)，３０(2)を下向きに付勢する力（乳児Ｎの体重やベッド部１２の自重など）とコイルバネ３６の付勢力とが釣り合う基準位置に保持される。
【００２３】
揺動機構１６の中枢部分は、フレーム体４０の縦フレーム４０ｆ(1)，４０ｆ(2)と、ベッド部度固定部材２０(1)，２０(2)の縦部分２０ａ(1)，２０ａ(2)と、第一の連結部材３０(1)，３０(2)と、第二の連結部材３２(1)，３２(2)とで構成された平行クランク機構であり、第一の連結部材３０(1)，３０(2)が、第三の軸部２６(1)，２６(2)を中心に回動することによって、ベッド部が上下方向に移動する。
【００２４】
例えば、乳児Ｎに付き添っている母親がベッド部１２に手を添えて軽く押し下げると、図５（ａ）に示すように、第一の連結部材３０(1)，３０(2)及び第二の連結部材３２(1)，３２(2)が下向きに回動し、ベッド部固定部材２０(1)，２０(2)が下方向に移動し、ベッド部１２が水平を維持して傾くことなくほぼ直線的に下降する。このとき、付勢用フレーム５６(1)，５６(2)及び横フレーム６２がコイルバネ取り付け部４２から離れる方向に移動するため、コイルバネ３６が伸張される。
【００２５】
この状態でベッド部１２から手を離すと、コイルバネ３６が伸張されたことによる収縮力が横フレーム６２を介して付勢用フレーム５６(1)，５６(2)に作用し、第一の連結部材３０(1)，３０(2)及び第二の連結部材３２(1)，３２(2)が上向きに回動し、ベッド部固定部材２０(1)，２０(2)が上方向に移動し、慣性力によりベッド部１２が基準位置より高い位置まで上昇する。その後、ベッド部１２は、基準位置を中心に上下方向に振動し、次第に振動が収束して基準位置に静止する。
【００２６】
揺動式ベビーベッド１０は、乳児Ｎの安全のため、ベッド部１２の上昇限度位置と下降限度位置が規定されている。ベッド部１２の上昇限度位置は、第二の連結部材３２(1)，３２(2)を連結している横フレーム６６によって規定される。第一の連結部材３０(1)，３０(2)が上向きに回動してベッド部１２が上昇すると、図５（ｂ）に示すように、横フレーム６６がストッパ部材となって付勢用フレーム５６(1)，５６(2)を係止する。その結果、第一の連結部材３０(1)，３０(2)が上向きに回動できなくなり、ベッド部１２の上昇が停止する。ベッド部１２の下降限度位置は、ベッド部１２下面が基台部１４（フレーム体４０）の上端部に係止されることによって規定される。
【００２７】
コイルバネ３６の付勢力は、付勢力可変装置３８のハンドル４８を回し、コイルバネ取り付け部４０を前後方向に移動させることによって適宜の値に変化させることができる。コイルバネ３６の付勢力は、母親がベッド部１２に手を添えて簡単に振動させられるように、弱めに設定されていることが好ましい。ただし、付勢力を弱くすると、ベッド部１２の振幅が大きくなりすぎる可能性があるので注意が必要である。また、ベッド部１２が上昇又は下降限度位置まで移動すると、ベッド部１２に衝撃が加わるので、スムーズな自由振動とはならず滑らかで心地よい揺らぎが得られなくなるので、一定以上の付勢力に設定しておくことが好ましい。
【００２８】
以上説明したように、揺動式ベビーベッド１０は、ベッド部１２が独特の揺動機構１６により支持され、ベッド部１２を軽く押圧することによって上下方向に安定に揺らすことができ、起き上がることができるようになった乳児Ｎに使用しても安心である。また、モータ等の動力を使用しておらず、部材同士が擦れ合う箇所もほとんどないので、騒音がほとんど発生せず静かであり、構造がシンプルなのでメンテナンスも容易である。
【００２９】
また、コイルバネ３６の付勢力は、乳児Ｎの体重等に応じて最適な値に調節されることが好ましいが、この揺動式ベビーベッド１０は、付勢力可変装置３８を備えているので非常に便利である。
【００３０】
なお、本発明の揺動式ベビーベッドは上記実施形態に限定されるものではない。例えば、ベッド部１２や基台部１４の外形は略四角形であるが、デザイン性や機能性を考慮して他の形状に変更してもよい。また、基台部は、揺動機構を取り付けてベッド部をしっかり支持できる構造物であればよく、フレーム体４０の側面部を側面板４２で覆った構造に限定されない。
【００３１】
揺動機構は、平行クランク機構又はこれと同様の機構によりベッド部を上下方向に移動させる構造であればよく、各構成部材の形状等は自由に変更することができる。例えば、上記の揺動機構１６は、ベッド部固定部材、第一及び第二の連結部材及び第一乃至第四の軸部から成るクランク機構を２組設け、左右一対に配置して一体化することによって構成されているが、個々の構成部材が十分な剛性や機械的強度を備えている場合、１組のクランク機構でベッド部を支持する構成にしてもよい。
【００３２】
付勢手段の構成も適宜変更することができる。例えば、上記の付勢手段３４の弾性部材はコイルバネ３６であるが、伸縮自在な弾性ゴム等に置き換えてもよい。また、付勢手段３４は、コイルバネ３６の収縮力を利用して、付勢用フレーム５６(1)，５６(2)を縦フレーム４０ｒ(1)，４０ｒ(2)側に引き寄せるように付勢するが、コイルバネ３６の弾発力を利用して、付勢用フレーム５６(1)，５６(2)を縦フレーム４０ｆ(1)，４０ｆ(2)側に押し返すように付勢する形態に変更してもよい。また、付勢手段３４は、第一の連結部材３０(1)，３０(2)を付勢するが、第二の連結部材３２(1)，３２(2)を付勢する構造にしてもよい。また、付勢力可変装置は、必要に応じて省略することができる。
【００３３】
ストッパ部材を用いてベッド部の上昇限界位置を規定する構造についても、自由に変更することができる。揺動式ベビーベッド１０の場合は、第二の連結部材３２(1)，３２(2)を連結する横フレーム６６（ストッパ部材）が、付勢用フレーム５６(1)，５６(2)を連結する横フレーム６２を係止する構造であるが、例えば、ストッパ部材となるフレーム等を基台部１４のフレーム体４０に取り付けて、第一の連結部材３０(1)，３０(2)の上面を係止する構造にしてもよい。あるいは、同様のストッパ部材により、付勢用フレーム５６(1)，５６(2)のコイルバネ３６側の面を係止する構造にしてもよい。また、ベッド部の上昇限界位置がストッパ部材以外の手段で規定される場合は、ストッパ部材を省略してもよい。
【符号の説明】
【００３４】
１０  揺動式ベビーベッド
１２  ベッド部
１４  基台部
１６  揺動機構
２０(1)，２０(2)  ベッド部固定部材
２２(1)，２２(2)  第一の軸部
２４(1)，２４(2)  第二の軸部
２６(1)，２６(2)  第三の軸部
２８(1)，２８(2)  第四の軸部
３０(1)，３０(2)  第一の連結部材
３２(1)，３２(2)  第二の連結部材
３４  付勢手段
３６  コイルバネ（弾性部材）
３８  付勢力可変装置
６６  横フレーム（ストッパ部材）
Ｎ  乳児
【図１】
0006511622.tif 000002
【図２】
0006511622.tif 000003
【図３】
0006511622.tif 000004
【図４】
0006511622.tif 000005
【図５】
0006511622.tif 000006